(57)【要約】      （修正有）【課題】片手でワンタッチで開くことができるＵＳＢフラッシュディスクを開き出す装置を提供する。【解決手段】摺動装置１の内側にＵＳＢフラッシュディスク２が設けられ、摺動装置の外側にハウジング３が設けられ、摺動装置が蓋１１と平行したスライドプレート１２とがからなり、スライドプレートの中間に一本の回転軸１３を介在して内部のＵＳＢフラッシュディスクに接続し、スライドプレートがハウジングの内部に往復運動し、摺動装置とハウジングとの間にロッキング装置１４が設けられる。使用が便利であり、シール性がよい。【選択図】図１
0003201794.tif 000002
【実用新案登録請求の範囲】
【請求項１】
ＵＳＢフラッシュディスクを開き出す装置であって、摺動装置の内側にＵＳＢフラッシュディスクが設けられ、摺動装置の外側にハウジングが設けられ、摺動装置が蓋と平行したスライドプレートとがからなり、平行したスライドプレートの中間に一本の回転軸を介して内部のＵＳＢフラッシュディスクに接続し、スライドプレートがハウジングの内部に往復運動し、摺動装置とハウジングとの間にロッキング装置が設けられることを特徴とするＵＳＢフラッシュディスクを開き出す装置。
【請求項２】
摺動装置とハウジングとは連結構成であり、ハウジングの出口箇所の幅がスライドプレートの末端の幅より小さいことを特徴とする請求項１に記載のＵＳＢフラッシュディスク開き装置。
【請求項３】
回転軸を接続するＵＳＢフラッシュディスクは回転自在なものであり、スライドプレートには孔が設けられ、回転軸に支持および固定を提供することを特徴とする請求項１に記載のＵＳＢフラッシュディスク開き装置。
【考案の詳細な説明】
【技術分野】
【０００１】
本案はＵＳＢフラッシュディスクを開き出す装置に関する。
【背景技術】
【０００２】
従来、市場には様々なＵＳＢフラッシュディスクの開き構造があり、伝統の蓋スイッチ式、回転スイッチ式、キー形状式、カード式が挙がられる。それらはそれぞれのメリットを有する同時に、それぞれの小さいの欠点を有する。  
【考案の概要】
【考案が解決しようとする課題】
【０００３】
本案の目的はＵＳＢフラッシュディスクを開き出す装置を提供し、ＵＳＢフラッシュディスクの開きをスライドカバーと回動との結合方式に変えて片方でワンタッチで開くことができることにある。
【課題を解決するための手段】
【０００４】
目的を達成するために、本案は以下の技術方案を提供する。
【０００５】
ＵＳＢフラッシュディスクを開き出す装置は、摺動装置の内側にＵＳＢフラッシュディスクが設けられ、摺動装置の外側にハウジングが設けられ、摺動装置が蓋と平行したスライドプレートとがからなり、平行したスライドプレートの中間に一本の回転軸を介して内部のＵＳＢフラッシュディスクに接続し、スライドプレートがハウジングの内部に往復運動し、摺動装置とハウジングとの間にロッキング装置が設けられる。
【０００６】
さらに、摺動装置の蓋とハウジングとは連結構成である。
【０００７】
さらに、ハウジングの出口箇所の幅がスライドプレートの末端の幅より小さい。
【０００８】
さらに、回転軸に接続したＵＳＢフラッシュディスクは回転自在なものである。
【０００９】
さらに、スライドプレートには孔が設けられ、回転軸に支持および固定点を提供する。
【００１０】
さらに、スライドプレートにはリブが設けられ、、ハウジングとの締付け、ロッキングに供される。
【００１１】
さらに、ＵＳＢフラッシュディスクの回転軸は回動自在の機能を提供する。
【００１２】
さらに、摺動装置が広げた時に、ＵＳＢフラッシュディスクの長さは摺動装置が広げた長さにより小さい。
【００１３】
さらに、開いた後に、ＵＳＢフラッシュディスクは自由落下で下へ回動する。
【００１４】
さらに、ＵＳＢフラッシュディスクのインタフェース全体がハウジングの外部に位置する。
【００１５】
さらに、スライドプレートは２本の平行した細長いプレートである。
【００１６】
さらに、この構成は側面開けのインタフェースであり、空間を節約することができる。
【考案の効果】
【００１７】
本案のよい効果は、ＵＳＢフラッシュディスクを開き出す装置は構造を改良することで、片方でＵＳＢフラッシュディスクの開き、閉め過程を完成することができる。
【００１８】
使用が便利であり、シール性がよい。
【図面の簡単な説明】
【００１９】
【図１】本案の側面構成を模式的に示す図である。
【図２】本案の側面構成を模式的に示す図である。
【図３】本案の構成を模式的に示す図である。
【考案を実施するための形態】
【００２０】
以下、図面及び実施形態を参照しながら、本案をさらに詳しく説明する。
【００２１】
図１〜３に示すように、ＵＳＢフラッシュディスクを開き出す装置は、摺動装置１の内側にＵＳＢフラッシュディスク２が設けられ、摺動装置の外側にハウジング３が設けられ、摺動装置１は蓋１１と平行したスライドプレート１２とがからなり、スライドプレート１２の中間に一本の回転軸１３を介してＵＳＢフラッシュディスク２に接続し、スライドプレート１２がハウジング３の内部に往復運動し、摺動装置１とハウジング３との間にロッキング装置１４が設けられる。
【００２２】
使用時に、手で蓋１１を外へ押し出し、蓋１１が完全に開けた時に、ＵＳＢフラッシュディスク２が自動的に落下する。片方で蓋１１を引き戻すと、蓋１１がＵＳＢフラッシュディスク２を係止する。この時にコンピュータなどのデバイスインタフェースに接続することができる。ＵＳＢフラッシュディスク２のインタフェース全体がハウジングの外部に位置し、コンピュータデバイスのインタフェースとお互いに接続することができる。使用が終了した後に、蓋１１を前へ押して直立動作を行う。このように、ＵＳＢフラッシュディスク２がスライドプレート内に自動的に回転し、さらに蓋１１を下へカバーして閉め動作を完成する。
【符号の説明】
【００２３】
１  摺動装置
１１  蓋
１２  スライドプレート
１３  回転軸
１４  ロッキング装置
２  ＵＳＢ フラッシュディスク
３  ハウジング。
【図１】
0003201794.tif 000003
【図２】
0003201794.tif 000004
【図３】
0003201794.tif 000005
【手続補正書】
【提出日】平成27年11月4日(2015.11.4)
【手続補正１】
【補正対象書類名】実用新案登録請求の範囲
【補正対象項目名】全文
【補正方法】変更
【補正の内容】
【実用新案登録請求の範囲】
【請求項１】
ＵＳＢフラッシュディスクを開き出す装置であって、摺動装置の内側にＵＳＢフラッシュディスクが設けられ、摺動装置の外側にハウジングが設けられ、摺動装置が蓋と平行したスライドプレートとがからなり、平行したスライドプレートの中間に一本の回転軸を介して内部のＵＳＢフラッシュディスクに接続し、スライドプレートがハウジングの内部に往復運動し、摺動装置とハウジングとの間にロッキング装置が設けられることを特徴とするＵＳＢフラッシュディスクを開き出す装置。
【請求項２】
摺動装置とハウジングとは連結構成であり、ハウジングの出口箇所の幅がスライドプレートの末端の幅より小さいことを特徴とする請求項１に記載のＵＳＢフラッシュディスク開き出す装置。
【請求項３】
スライドプレートには回転軸を支持および固定する孔が設けられ、ＵＳＢフラッシュディスクが回転軸を介してスライドプレートに回転自在に接続されることを特徴とする請求項１に記載のＵＳＢフラッシュディスク開き出す装置。